(57)【特許請求の範囲】
【請求項１】
端末装置へのコンテンツのダウンロードを行うために使用される通信回線の混雑度に関する情報を取得する混雑度情報取得部と、
コンテンツの閲覧に関する情報を取得するコンテンツ閲覧情報取得部と、
前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するダウンロード時間帯決定部と、
前記ダウンロード時間帯決定部により決定される時間帯で前記端末装置へのコンテンツのダウンロードを行うダウンロード部と、
を備え、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、
ことを特徴とする通信システム。
【請求項２】
端末装置へのコンテンツのダウンロードを行うために使用される通信回線の混雑度に関する情報を取得する混雑度情報取得部と、
コンテンツの閲覧に関する情報を取得するコンテンツ閲覧情報取得部と、
前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するダウンロード時間帯決定部と、
前記ダウンロード時間帯決定部により決定される時間帯で前記端末装置へのコンテンツのダウンロードを行うダウンロード部と、
を備え、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、
この場合に、前記コンテンツ閲覧情報取得部により取得される前記コンテンツの閲覧に関する情報として、閲覧されたコンテンツの数を用いて計算される値の情報を用い、
前記コンテンツ閲覧情報取得部により取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、
ことを特徴とする通信システム。
【請求項３】
端末装置へのコンテンツのダウンロードを行うために使用される通信回線の混雑度に関する情報を取得する混雑度情報取得部と、
コンテンツの閲覧に関する情報を取得するコンテンツ閲覧情報取得部と、
前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するダウンロード時間帯決定部と、
前記ダウンロード時間帯決定部により決定される時間帯で前記端末装置へのコンテンツのダウンロードを行うダウンロード部と、
を備え、
前記ダウンロード時間帯決定部は、あらかじめ定められた長さの時間を複数に分割して構成される複数のタイムスロットの時間帯のそれぞれについて、前記コンテンツ閲覧情報取得部により取得される前記コンテンツの閲覧に関する情報に基づく値を求め、当該値の大きさに基づいて２つ以上のタイムスロットの時間帯を参照タイムスロットの時間帯として選択し、前記混雑度情報取得部により取得される前記混雑度に関する情報に基づく値と前記コンテンツ閲覧情報取得部により取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、
ことを特徴とする通信システム。
【請求項４】
混雑度情報取得部が、端末装置へのコンテンツのダウンロードを行うために使用される通信回線の混雑度に関する情報を取得し、
コンテンツ閲覧情報取得部が、コンテンツの閲覧に関する情報を取得し、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定し、
ダウンロード部が、前記ダウンロード時間帯決定部により決定される時間帯で前記端末装置へのコンテンツのダウンロードを行い、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、
ことを特徴とする通信方法。
【請求項５】
混雑度情報取得部が、端末装置へのコンテンツのダウンロードを行うために使用される通信回線の混雑度に関する情報を取得し、
コンテンツ閲覧情報取得部が、コンテンツの閲覧に関する情報を取得し、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定し、
ダウンロード部が、前記ダウンロード時間帯決定部により決定される時間帯で前記端末装置へのコンテンツのダウンロードを行い、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、
この場合に、前記コンテンツ閲覧情報取得部により取得される前記コンテンツの閲覧に関する情報として、閲覧されたコンテンツの数を用いて計算される値の情報を用い、
前記コンテンツ閲覧情報取得部により取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、
ことを特徴とする通信方法。
【請求項６】
混雑度情報取得部が、端末装置へのコンテンツのダウンロードを行うために使用される通信回線の混雑度に関する情報を取得し、
コンテンツ閲覧情報取得部が、コンテンツの閲覧に関する情報を取得し、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定し、
ダウンロード部が、前記ダウンロード時間帯決定部により決定される時間帯で前記端末装置へのコンテンツのダウンロードを行い、
前記ダウンロード時間帯決定部は、あらかじめ定められた長さの時間を複数に分割して構成される複数のタイムスロットの時間帯のそれぞれについて、前記コンテンツ閲覧情報取得部により取得される前記コンテンツの閲覧に関する情報に基づく値を求め、当該値の大きさに基づいて２つ以上のタイムスロットの時間帯を参照タイムスロットの時間帯として選択し、前記混雑度情報取得部により取得される前記混雑度に関する情報に基づく値と前記コンテンツ閲覧情報取得部により取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、
ことを特徴とする通信方法。
【請求項７】
混雑度情報取得部が、端末装置へのコンテンツのダウンロードを行うために使用される通信回線の混雑度に関する情報を取得するステップと、
コンテンツ閲覧情報取得部が、コンテンツの閲覧に関する情報を取得するステップと、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するステップと、
ダウンロード部が、前記ダウンロード時間帯決定部により決定される時間帯で前記端末装置へのコンテンツのダウンロードを行うステップと、
をコンピュータに実行させるための通信プログラムであって、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、
通信プログラム。
【請求項８】
混雑度情報取得部が、端末装置へのコンテンツのダウンロードを行うために使用される通信回線の混雑度に関する情報を取得するステップと、
コンテンツ閲覧情報取得部が、コンテンツの閲覧に関する情報を取得するステップと、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するステップと、
ダウンロード部が、前記ダウンロード時間帯決定部により決定される時間帯で前記端末装置へのコンテンツのダウンロードを行うステップと、
をコンピュータに実行させるための通信プログラムであって、
前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、
この場合に、前記コンテンツ閲覧情報取得部により取得される前記コンテンツの閲覧に関する情報として、閲覧されたコンテンツの数を用いて計算される値の情報を用い、
前記コンテンツ閲覧情報取得部により取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、
通信プログラム。
【請求項９】
混雑度情報取得部が、端末装置へのコンテンツのダウンロードを行うために使用される通信回線の混雑度に関する情報を取得するステップと、
コンテンツ閲覧情報取得部が、コンテンツの閲覧に関する情報を取得するステップと、
ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するステップと、
ダウンロード部が、前記ダウンロード時間帯決定部により決定される時間帯で前記端末装置へのコンテンツのダウンロードを行うステップと、
をコンピュータに実行させるための通信プログラムであって、
前記ダウンロード時間帯決定部は、あらかじめ定められた長さの時間を複数に分割して構成される複数のタイムスロットの時間帯のそれぞれについて、前記コンテンツ閲覧情報取得部により取得される前記コンテンツの閲覧に関する情報に基づく値を求め、当該値の大きさに基づいて２つ以上のタイムスロットの時間帯を参照タイムスロットの時間帯として選択し、前記混雑度情報取得部により取得される前記混雑度に関する情報に基づく値と前記コンテンツ閲覧情報取得部により取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、
通信プログラム。
【請求項１０】
端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記混雑度に関する情報に基づく値と取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、
ことを特徴とする前記端末装置である通信装置。
【請求項１１】
端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記混雑度に関する情報に基づく値と取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、
この場合に、取得される前記コンテンツの閲覧に関する情報として、閲覧されたコンテンツの数を用いて計算される値の情報を用い、
取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、
ことを特徴とする前記端末装置である通信装置。
【請求項１２】
端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記コンテンツの閲覧に関する情報に基づく値を求め、当該値の大きさに基づいて２つ以上のタイムスロットの時間帯を参照タイムスロットの時間帯として選択し、取得される前記混雑度に関する情報に基づく値と取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、
ことを特徴とする前記端末装置である通信装置。
【請求項１３】
ネットワーク側から端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記混雑度に関する情報に基づく値と取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、
ことを特徴とする前記ネットワーク側の通信装置。
【請求項１４】
ネットワーク側から端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記混雑度に関する情報に基づく値と取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、
この場合に、取得される前記コンテンツの閲覧に関する情報として、閲覧されたコンテンツの数を用いて計算される値の情報を用い、
取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、
ことを特徴とする前記ネットワーク側の通信装置。
【請求項１５】
ネットワーク側から端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備え、
前記ダウンロード時間帯決定部は、あらかじめ定められた長さの時間を複数に分割して構成される複数のタイムスロットの時間帯のそれぞれについて、取得される前記コンテンツの閲覧に関する情報に基づく値を求め、当該値の大きさに基づいて２つ以上のタイムスロットの時間帯を参照タイムスロットの時間帯として選択し、取得される前記混雑度に関する情報に基づく値と取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、
ことを特徴とする前記ネットワーク側の通信装置。
【発明の詳細な説明】
【技術分野】
【０００１】
本発明は、通信システム、通信方法、通信プログラムおよび通信装置に関する。
【背景技術】
【０００２】
ネットワークが混雑している時間帯を避けて、大容量の動画コンテンツ等を、端末装置に配信するサービス（Ｐｕｓｈ型のサービス）、または、端末装置により取得するサービス（Ｐｕｌｌ型のサービス）がある。具体的には、このようなサービスとして、ＥＺチャンネルプラスなどのサービスがある。
このようなサービスでは、一般的には、コンテンツの配信の時間帯が決定されており、大抵の場合は、深夜または早朝のネットワークがすいている時間帯にコンテンツの配信が行われる。
【０００３】
背景技術の例として、特許文献１には、デジタルコンテンツを格納したデジタルコンテンツ配信装置から、ネットワークを介して、携帯端末へ、所定期間内における所望の時間帯ごとにデジタルコンテンツを配信するデジタルコンテンツ配信方法が記載されている（特許文献１参照。）。
また、背景技術の例として、特許文献２には、予約された通信を無線リソースに余裕のある時間帯を学習して自律分散的に行う無線端末が記載されている（特許文献２参照。）。
また、背景技術の例として、非特許文献１には、好きな番組を登録しておくと、その番組のコンテンツを、夜の間に自動的に配信するサービスが記載されている（非特許文献３参照。）。
【先行技術文献】
【特許文献】
【０００４】
【特許文献１】特開２００９−２４５４６５号公報
【特許文献２】特開２０１１−１９９５９２号公報
【非特許文献】
【０００５】
【非特許文献１】「ＥＺチャンネルプラス」、［ｏｎｌｉｎｅ］、ＫＤＤＩ、［２０１１年１２月９日検索］、インターネット、＜ＵＲＬ：ｈｔｔｐ：／／ｗｗｗ．ａｕ．ｋｄｄｉ．ｃｏｍ／ｅｚ＿ｃｈａｎｎｅｌ＿ｐｌｕｓ＞
【発明の概要】
【発明が解決しようとする課題】
【０００６】
しかしながら、通信システムにおいて端末装置へのコンテンツの提供を行う時間を決定する技術については、さらなる開発が要求されていた。
【０００７】
例えば、コンテンツを配信または取得するサービスでは、配信または取得の完了後に生成または更新された最新のコンテンツの取得が難しい。
そこで、このような最新のコンテンツを取得するために、１日に複数回の配信または取得を行う方法が考えられる。しかしながら、この方法では、固定的な配信または取得のスケジュールに従う場合には、例えば、閲覧されないのに配信または取得だけが行われるという非効率な処理が発生する可能性があり、また、混雑している時間帯は場所に依存するため、ネットワークインフラへの過負荷が発生する場所が生じる可能性がある。
【０００８】
本発明は、このような事情を考慮してなされたもので、端末装置へのコンテンツの提供を行う時間を決定することを効果的に行うことができる通信システム、通信方法、通信プログラムおよび通信装置を提供することを課題とする。
【課題を解決するための手段】
【０００９】
（１）上記の課題を解決するために、本発明に係る通信システムは、端末装置へのコンテンツのダウンロードを行うために使用される通信回線の混雑度に関する情報を取得する混雑度情報取得部と、コンテンツの閲覧に関する情報を取得するコンテンツ閲覧情報取得部と、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するダウンロード時間帯決定部と、前記ダウンロード時間帯決定部により決定される時間帯で前記端末装置へのコンテンツのダウンロードを行うダウンロード部と、を備えることを特徴とする。
【００１０】
（２）本発明は、上記した（１）に記載の通信システムにおいて、前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定する、ことを特徴とする。
【００１１】
（３）本発明は、上記した（１）に記載の通信システムにおいて、前記ダウンロード時間帯決定部は、あらかじめ定められた長さの時間を複数に分割して構成される複数のタイムスロットの時間帯のそれぞれについて、前記混雑度情報取得部により取得される前記混雑度に関する情報に基づく値と前記コンテンツ閲覧情報取得部により取得される前記コンテンツの閲覧に関する情報に基づく値とを用いて演算を行った結果を求め、当該演算を行った結果の値の大きさに基づいて、前記端末装置へのコンテンツのダウンロードを行うタイムスロットの時間帯を決定し、この場合に、前記コンテンツ閲覧情報取得部により取得される前記コンテンツの閲覧に関する情報として、閲覧されたコンテンツの数を用いて計算される値の情報を用い、前記コンテンツ閲覧情報取得部により取得される前記コンテンツの閲覧に関する情報に基づく値として、時間経過に応じて所定の比率で小さくなる減衰係数を前記コンテンツの閲覧に関する情報の値に対して乗算した結果に基づく値を用いる、ことを特徴とする。
【００１２】
（４）本発明は、上記した（１）に記載の通信システムにおいて、前記ダウンロード時間帯決定部は、あらかじめ定められた長さの時間を複数に分割して構成される複数のタイムスロットの時間帯のそれぞれについて、前記コンテンツ閲覧情報取得部により取得される前記コンテンツの閲覧に関する情報に基づく値を求め、当該値の大きさに基づいて２つ以上のタイムスロットの時間帯を参照タイムスロットの時間帯として選択し、前記混雑度情報取得部により取得される前記混雑度に関する情報に基づく値と前記コンテンツ閲覧情報取得部により取得される前記コンテンツの閲覧に関する情報に基づく値とを用いて演算を行った結果の値の大きさに基づいて、前記選択した２つ以上の参照タイムスロットの時間帯についてそれぞれの隣り合う参照タイムスロットの時間帯の間から１つのタイムスロットの時間帯を選択して、前記端末装置へのコンテンツのダウンロードを行うタイムスロットの時間帯として決定し、さらに、必要である場合には、前記演算を行った結果の値の大きさに基づいて、タイムスロットの時間帯を選択して、前記端末装置へのコンテンツのダウンロードを行うタイムスロットの時間帯として決定する、ことを特徴とする。
【００１３】
（５）上記の課題を解決するために、本発明に係る通信方法は、混雑度情報取得部が、端末装置へのコンテンツのダウンロードを行うために使用される通信回線の混雑度に関する情報を取得し、コンテンツ閲覧情報取得部が、コンテンツの閲覧に関する情報を取得し、ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定し、ダウンロード部が、前記ダウンロード時間帯決定部により決定される時間帯で前記端末装置へのコンテンツのダウンロードを行う、ことを特徴とする。
【００１４】
（６）上記の課題を解決するために、本発明に係る通信プログラムは、混雑度情報取得部が、端末装置へのコンテンツのダウンロードを行うために使用される通信回線の混雑度に関する情報を取得するステップと、コンテンツ閲覧情報取得部が、コンテンツの閲覧に関する情報を取得するステップと、ダウンロード時間帯決定部が、前記混雑度情報取得部により取得される前記混雑度に関する情報と前記コンテンツ閲覧情報取得部により取得される前記コンテンツの閲覧に関する情報に基づいて、前記端末装置へのコンテンツのダウンロードを行う時間帯を決定するステップと、ダウンロード部が、前記ダウンロード時間帯決定部により決定される時間帯で前記端末装置へのコンテンツのダウンロードを行うステップと、をコンピュータに実行させるための通信プログラムである。
【００１５】
（７）上記の課題を解決するために、本発明に係る通信装置は、端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備える、ことを特徴とする前記端末装置である通信装置である。
【００１６】
（８）上記の課題を解決するために、本発明に係る通信装置は、ネットワーク側から端末装置へのコンテンツのダウンロードを行うために使用される通信回線の混雑度に関する情報とコンテンツの閲覧に関する情報に基づいて、前記端末装置へのコンテンツのダウンロードを行う時間帯を決定するダウンロード時間帯決定部を備える、ことを特徴とする前記ネットワーク側の通信装置である。
【発明の効果】
【００１７】
本発明によれば、通信システムにおいて、端末装置へのコンテンツの提供を行う時間を決定することを効果的に行うことができる。
【図面の簡単な説明】
【００１８】
【図１】本発明の一実施形態に係る通信システムの概略的な構成を示すブロック図である。
【図２】（Ａ）、（Ｂ）、（Ｃ）は本発明の一実施形態に係る通信スケジュールの一例を示す図である。
【図３】本発明の一実施形態に係る通信システムにおける無線通信のセルの概略的な構成を示すブロック図である。
【発明を実施するための形態】
【００１９】
以下、図面を参照し、本発明の実施形態について説明する。
【００２０】
［第１実施形態］
＜本実施形態に係る通信システムの概略の説明＞
図１は、本発明の一実施形態に係る通信システムの概略的な構成を示すブロック図である。
本実施形態に係る通信システムは、サーバ装置１１と、コンテンツ記憶装置１２と、基地局装置１３と、回線１４と、無線端末装置３１と、有線の端末装置３２と、を備える。
また、図１には、基地局装置１３の無線による通信エリア２１を示してある。
【００２１】
なお、本実施形態では、サーバ装置１１と、コンテンツ記憶装置１２と、基地局装置１３と、無線端末装置３１と、有線の端末装置３２は、それぞれ、通信装置の例である。
【００２２】
ここで、サーバ装置１１と、コンテンツ記憶装置１２と、基地局装置１３と、有線の端末装置３２と、は、回線１４を介して、互いに通信することが可能に接続されている。
回線１４としては、任意のものが用いられてもよく、例えば、ＬＡＮ（Ｌｏｃａｌ  Ａｒｅａ  Ｎｅｔｗｏｒｋ）の回線や、インターネットの回線などを用いることができる。
【００２３】
また、基地局装置１３と、当該基地局装置１３の通信エリア２１に存在する無線端末装置３１とは、互いに無線により通信することが可能に接続される。
回線１４に接続されたサーバ装置１１などと、無線端末装置３１とは、それぞれが基地局装置１３との通信を行うことで、当該基地局装置１３を介して、互いに通信することが可能である。
【００２４】
具体的には、サーバ装置１１と、コンテンツ記憶装置１２と、基地局装置１３と、有線の端末装置３２とは、任意の２つの装置が、回線１４を介して、互いに通信することができる。
また、サーバ装置１１と、コンテンツ記憶装置１２と、有線の端末装置３２とのうちの１つの装置と、無線端末装置３１とは、当該１つの装置が回線１４を介して基地局装置１３と通信するとともに、当該無線端末装置３１が当該基地局装置１３と無線により通信することにより、当該基地局装置１３を中継装置として、互いに通信することができる。
【００２５】
なお、本実施形態では、各装置１１〜１３、３１、３２をそれぞれ１つずつ示すが、各装置１１〜１３、３１、３２について、同様な複数の装置が通信システムに備えられてもよい。
また、コンテンツ記憶装置１２は、例えば、本実施形態に係る通信システムの外部に備えられてもよい。
【００２６】
また、通信システムとしては、例えば、有線の通信システムが用いられてもよく、または、無線の通信システムが用いられてもよく、または、有線の通信と無線の通信との両方を使用する通信システムが用いられてもよい。
例えば、本実施形態に係る通信システムについて、有線の端末装置３２が備えられない構成が用いられてもよく、または、基地局装置１３および無線の端末装置３１が備えられない構成が用いられてもよい。
【００２７】
本実施形態に係る通信システムに備えられる各装置１１〜１３、３１、３２について説明する。
サーバ装置１１は、本実施形態では、ネットワーク側の装置である。
サーバ装置１１は、レコメンド部１０１を備える。
【００２８】
レコメンド部１０１は、端末装置３１、３２を使用するユーザの属性データや履歴データなどをベースとして、これらのデータに基づいて、当該ユーザの嗜好やニーズに合ったレコメンドコンテンツ（推薦する対象とするコンテンツ）を選択する。また、レコメンド部１０１は、レコメンドコンテンツの選択結果を該当する端末装置３１、３２（本実施形態では、端末装置３１、３２のダウンロード部１１４、１２４）に通知する。
【００２９】
ここで、ユーザの属性データとしては、様々なデータが用いられてもよく、例えば、ユーザの性別、年齢、ライフスタイルなどのデータを用いることができる。
また、ユーザの履歴データとしては、様々なデータが用いられてもよく、例えば、ユーザが端末装置３１、３２によって利用したコンテンツの履歴（コンテンツ利用履歴）、ユーザが端末装置３１、３２によって評価したコンテンツの履歴（コンテンツ評価履歴）などのデータを用いることができる。
【００３０】
また、レコメンド部１０１は、ユーザの属性データや履歴データなどをベースに当該ユーザの嗜好やニーズに合ったレコメンドコンテンツを選択するだけでなく、例えば、コンテンツのアップロード、削除、修正、あるいは、ランキング順位の変化などに応じて、レコメンドコンテンツの選択結果を、随時、更新することも可能である。この場合、レコメンド部１０１は、レコメンドコンテンツの選択結果を更新すると、その更新結果（更新後におけるレコメンドコンテンツの選択結果）を該当する端末装置３１、３２（本実施形態では、端末装置３１、３２のダウンロード部１１４、１２４）に通知する。
【００３１】
ここで、レコメンドコンテンツの選択結果としては、例えば、レコメンドの対象となるコンテンツを取得（本実施形態では、ダウンロード）するための情報が用いられる。具体例として、レコメンドコンテンツの選択結果としては、レコメンドの対象となるコンテンツが記憶されたコンテンツ記憶装置１２および当該コンテンツを特定する情報（例えば、ＵＲＬの情報など）を用いることができる。
【００３２】
なお、コンテンツをレコメンドする技術（レコメンド技術）については、例えば、公知の様々な技術を利用することもできる。
【００３３】
コンテンツ記憶装置１２は、端末装置３１、３２に提供することが可能な様々なコンテンツを記憶する。
具体例として、コンテンツ記憶装置１２は、インターネットに存在する複数のサイトについて、各サイトのコンテンツを記憶する記憶装置の集合から構成することができる。
ここで、コンテンツとしては、例えば、デジタルのコンテンツが用いられ、様々な内容の情報（データ）が用いられてもよい。
【００３４】
基地局装置１３は、回線１４を介して、サーバ装置１１、コンテンツ記憶装置１２、有線の端末装置３２と通信し、また、無線の回線を介して、無線端末装置３１と通信する。
基地局装置１３は、例えば、自己の通信エリア２１に存在して通信対象とする無線端末装置３１を管理する。
【００３５】
無線端末装置３１は、混雑度情報取得部１１１と、コンテンツ閲覧情報取得部１１２と、ダウンロード時間帯決定部１１３と、ダウンロード部１１４と、を備える。
混雑度情報取得部１１１は、通信における混雑度に関する情報（混雑度情報）を取得し、取得した混雑度情報をダウンロード時間帯決定部１１３に出力する。
ここで、混雑度情報取得部１１１は、通信における混雑度に関する情報として、例えば、コンテンツをダウンロードすることに関する通信回線（接続回線）のトラフィックの混雑度を表す情報を取得する。
【００３６】
また、混雑度としては、例えば、所定時間単位の混雑度が用いられてもよい。
所定時間単位の混雑度における当該所定時間単位としては、様々な長さの時間の単位が用いられてもよく、例えば、１時間の単位、などを用いることができる。
【００３７】
また、コンテンツをダウンロードすることに関する通信回線のトラフィックの混雑度としては、様々な手法で検出されてもよく、例えば、自己（ここでは、無線端末装置３１）とサーバ装置１１との間の通信回線のトラフィックの混雑度を検出する手法、または、自己（ここでは、無線端末装置３１）とコンテンツ記憶装置１２との間の通信回線のトラフィックの混雑度を検出する手法などを用いることができる。
【００３８】
また、コンテンツをダウンロードすることに関する通信回線のトラフィックの混雑度としては、例えば、有線の回線を使用する場合には当該有線の回線のトラフィックの混雑度を検出する手法を用いることができ、また、無線の回線を使用する場合には当該無線の回線のトラフィックの混雑度を検出する手法を用いることができ、また、有線の回線と無線の回線との両方を使用する場合には当該有線の回線と当該無線の回線とのうちの一方または両方のトラフィックの混雑度を検出する手法を用いることができる。
【００３９】
コンテンツ閲覧情報取得部１１２は、自己（ここでは、無線端末装置３１）においてユーザにより行われたコンテンツの閲覧に関する情報（コンテンツ閲覧情報）を取得し、取得したコンテンツ閲覧情報をダウンロード時間帯決定部１１３に出力する。
ここで、コンテンツの閲覧に関する情報としては、様々なものが用いられてもよく、例えば、閲覧されたコンテンツの数に関する情報などを用いることができる。
【００４０】
ダウンロード時間帯決定部１１３は、混雑度情報取得部１１１から入力される混雑度情報と、コンテンツ閲覧情報取得部１１２から入力されるコンテンツ閲覧情報と、に基づいて、あらかじめ定められた演算により、ダウンロードを行う時間帯（タイミング）を決定し、決定した時間帯を特定する情報（時間帯特定情報）をダウンロード部１１４に出力する。
【００４１】
ここで、ダウンロードを行う時間帯としては、任意の方法で特定されてもよく、例えば、時間帯の始点のタイミングと終点のタイミングを用いて特定することができ、または、時間帯の始点のタイミングと当該時間帯の長さを用いて特定することができる。他の例として、ダウンロードを行う時間帯としては、例えば、時間帯の始点のタイミングのみが特定されてもよく、または、時間帯の中の始点以外の任意の１つ以上の時刻点のタイミングを用いて特定されてもよい。
【００４２】
ダウンロード部１１４は、サーバ装置１１のレコメンド部１０１からレコメンドコンテンツの選択結果の通知を受け取る（受信する）と、ダウンロード時間帯決定部１１３から入力された時間帯特定情報により特定される時間帯に、レコメンドされたコンテンツ（当該レコメンドコンテンツの選択結果で指定されたコンテンツ）をダウンロードする。
本実施形態では、このダウンロードは、ユーザにより指示されることなく、先行的に自動的に行われる。
【００４３】
また、ダウンロード部１１４は、サーバ装置１１のレコメンド部１０１からレコメンドコンテンツの選択結果の更新の通知を受け取る（受信する）と、ダウンロード時間帯決定部１１３から入力された時間帯特定情報により特定される時間帯に、更新後にレコメンドされたコンテンツ（当該レコメンドコンテンツの選択結果の更新で指定されたコンテンツ）をダウンロードする。
本実施形態では、このダウンロードは、ユーザにより指示されることなく、先行的に自動的に行われる。
【００４４】
ここで、ダウンロード部１１４は、例えば、ダウンロードの対象となるコンテンツのデータをコンテンツ記憶装置１２から（サーバ装置１１を介さずに）受信してもよく、または、ダウンロードの対象となるコンテンツのデータをサーバ装置１１を介して受信してもよい。
【００４５】
なお、コンテンツをダウンロードする技術（ダウンロード技術）については、例えば、公知の様々な技術を利用することもできる。
【００４６】
有線の端末装置３２は、混雑度情報取得部１２１と、コンテンツ閲覧情報取得部１２２と、ダウンロード時間帯決定部１２３と、ダウンロード部１２４と、を備える。
ここで、本実施形態では、無線端末装置３１が基地局装置１３を介して回線１４と接続する一方、有線の端末装置３２が直接に回線１４と接続する点を除いては、有線の端末装置３２に備えられる各処理部１２１〜１２４は無線端末装置３１に備えられる各処理部１１１〜１１４と同様な機能を有する。
【００４７】
＜通信システムの他の構成例の説明＞
以上では、各種のダウンロードを、各端末装置３１、３２の主導で行う。具体的には、端末装置３１、３２にダウンロード部１１４、１２４を配置して、各端末装置３１、３２が自律分散的にダウンロードを行う構成を示した。
【００４８】
これに対して、他の構成例として、ネットワーク側に、端末装置３１、３２へのコンテンツのダウンロードを行うダウンロード部の機能を備えることもできる。
一例として、サーバ装置１１に、ダウンロード部（サーバ側ダウンロード部）を備えることができる。この場合、各端末装置３１、３２には、ダウンロード部１１４、１２４は備えられなくてもよい。
また、他の構成例として、ネットワーク側のダウンロード部は、サーバ装置１１ではなく、コンテンツ記憶装置１２、または、他の任意の装置に備えられてもよい。
【００４９】
サーバ装置１１のサーバ側ダウンロード部は、レコメンド部１０１から通知された情報（各端末装置３１、３２に対する初期的なレコメンドコンテンツや更新後のレコメンドコンテンツを識別する情報）に基づいて、各端末装置３１、３２へのコンテンツのダウンロードを制御して実行する。
また、サーバ装置１１のサーバ側ダウンロード部は、各端末装置３１、３２のダウンロード時間帯決定部１１３、１２３から通知された時間帯特定情報に基づいて、当該時間帯特定情報により特定される時間帯にダウンロードが行われるように、各端末装置３１、３２へのコンテンツのダウンロードを制御して実行する。この場合、各端末装置３１、３２のダウンロード時間帯決定部１１３、１２３は、決定した時間帯特定情報をサーバ装置１１のサーバ側ダウンロード部に送信して通知する。
【００５０】
このように、他の構成例に係る通信システムでは、各種のダウンロードを、ネットワーク側（ここで説明した例では、サーバ装置１１）の主導で行う。
【００５１】
さらに、以上の構成例では、ネットワーク側と端末装置３１、３２の側とに各処理部の機能を配置する構成の幾つかの例を示したが、これに限られず、各処理部の機能は、任意のところに備えられてもよい。
例えば、本実施形態では、ネットワーク側（本実施形態では、サーバ装置１１）にレコメンド部１０１を備える構成を示したが、他の構成例として、コンテンツをレコメンドする機能（例えば、レコメンド部１０１と同様なコンテンツのレコメンドを実現する機能）を各端末装置３１、３２に備える構成とすることも可能である。
【００５２】
また、本実施形態では、各端末装置３１、３２に混雑度情報取得部１１１、１２１を備える構成を示したが、他の構成例として、ネットワーク側（例えば、サーバ装置１１）に混雑度に関する情報を取得する機能（例えば、混雑度情報取得部１１１、１２１と同様な混雑度情報の取得を実現する機能）を備える構成とすることも可能である。
また、本実施形態では、各端末装置３１、３２にダウンロード時間帯決定部１１３、１２３を備える構成を示したが、他の構成例として、ネットワーク側（例えば、サーバ装置１１）にダウンロードを行う時間帯を決定する機能（例えば、ダウンロード時間帯決定部１１３、１２３と同様なダウンロードの時間帯の決定を実現する機能）を備える構成とすることも可能である。
【００５３】
また、本実施形態では、レコメンド部１０１によりレコメンドされるコンテンツを端末装置３１、３２へダウンロードする構成を示したが、ダウンロードの対象とするコンテンツは、任意の方法で決定されてもよい。具体的に、他の構成例として、あらかじめ定められたコンテンツを端末装置３１、３２へダウンロードする構成が用いられてもよく、または、端末装置３１、３２などにおいてユーザにより行われる操作によりダウンロードを希望するコンテンツの指示を受け付け、受け付けた指示に合致するコンテンツを該当する端末装置３１、３２へダウンロードする構成が用いられてもよい。
【００５４】
＜通信システムにおける無線通信の説明＞
図３は、本発明の一実施形態に係る通信システムにおける無線通信のセルの概略的な構成を示すブロック図である。
本実施形態では、例えば、携帯電話公衆網（ネットワーク）を使用する携帯電話システム（一例として、３Ｇ）などのように比較的大きいセル（本実施形態において、大セルと言う）１００１と、Ｗｉ−Ｆｉ（登録商標）ネットワークなどのように比較的小さいセル（本実施形態において、小セルと言う）１０１１−１〜１０１１−５が存在する。
【００５５】
大セル１００１の通信回線は、広いエリアの全てをカバーするのに対して、各小セル１０１１−１〜１０１１−５の通信回線は、当該広いエリアの全てをカバーせずに、それぞれ部分的なエリアをカバーするように設置される。
【００５６】
図３の例では、大セル１００１の中に、複数（図３の例では、５個）の小セル１０１１−１〜１０１１−５が設けられている。
また、図３には、ユーザにより持ち運ばれるなどして移動する無線端末装置１１０１、１１０２を示してある。この無線端末装置１１０１、１１０２は、図１に示される無線端末装置３１に対応するものである。
【００５７】
ここで、図１に示される基地局装置１３を大セル１００１の基地局装置であるとみなすと、基地局装置１３の通信エリア２１が大セル１００１に相当する。
また、図１に示される基地局装置１３を小セル（複数の小セル１０１１−１〜１０１１−５のうちの１つ）の基地局装置であるとみなすと、基地局装置１３の通信エリア２１が当該小セルに相当する。
本実施形態では、大セル１００１ごと、および、小セル１０１１−１〜１０１１−５ごとに、基地局装置が備えられているとする。
【００５８】
本実施形態では、無線端末装置３１は、大セル１００１のシステムの基地局装置との間で無線通信する機能と、小セル１０１１−１〜１０１１−５のシステムの基地局装置との間で無線通信する機能と、を有している。また、無線端末装置３１は、大セル１００１のシステムの基地局装置との間で無線通信する機能と、小セル１０１１−１〜１０１１−５のシステムの基地局装置との間で無線通信する機能と、を切り替えて使用する機能を有している。
【００５９】
本実施形態では、無線端末装置３１のダウンロード部１１４は、大セル１００１の基地局装置との間で当該大セル１００１の通信回線を使用して無線通信することにより、コンテンツのダウンロードを行う機能、および、小セル１０１１−１〜１０１１−５の基地局装置との間で当該小セル１０１１−１〜１０１１−５の通信回線を使用して無線通信することが可能な状態にある場合に、当該小セル１０１１−１〜１０１１−５の基地局装置との間で当該小セル１０１１−１〜１０１１−５の通信回線を使用して無線通信することにより、コンテンツのダウンロードを行う機能を有する。
【００６０】
このように、本実施形態に係る通信システムによると、例えば、大規模なセル（大セル１００１）に比べて小規模なセル（小セル１０１１−１〜１０１１−５）のネットワークを検出して、当該小規模なセルのネットワークを用いて、各種のダウンロードを行うことができる。このように、例えば、Ｗｉ−Ｆｉ（登録商標）オフロードのように、小規模なセルのネットワークへのオフロードを実現することができる。
【００６１】
なお、本実施形態では、無線端末装置３１に、小セル１０１１−１〜１０１１−５の基地局装置との間で当該小セル１０１１−１〜１０１１−５の通信回線を使用して無線通信する機能を備える場合について示したが、他の構成例として、有線の端末装置３２に、同様な機能を備えてもよい。
例えば、有線の端末装置３２が小セル１０１１−１〜１０１１−５の基地局装置との間で当該小セル１０１１−１〜１０１１−５の通信回線を使用して無線通信する機能を有しており、当該有線の端末装置３２がユーザにより持ち運ばれるなどして移動させられるような場合には、当該有線の端末装置３２が小セル１０１１−１〜１０１１−５の範囲内と範囲外とで移動させられることがある。
このような構成では、有線の端末装置３２は、有線の回線１４を介して通信する機能と、小セル１０１１−１〜１０１１−５のシステムの基地局装置との間で無線通信する機能と、を有している。また、有線の端末装置３２は、有線の回線１４を介して通信する機能と、小セル１０１１−１〜１０１１−５のシステムの基地局装置との間で無線通信する機能と、を切り替えて使用する機能を有している。
【００６２】
ここで、比較的大きいセル（大セル）を形成するシステムとしては、例えば、携帯電話システムに限られず、様々なものが用いられてもよい。このように大セルを形成するシステムとして扱うシステムは、例えば、あらかじめ定められる。
また、比較的小さいセル（限定的な通信回線を提供する小セル）を形成するシステムとしては、例えば、Ｗｉ−Ｆｉ（登録商標）ネットワークのシステムに限られず、様々なものが用いられてもよい。このように小セルを形成するシステムとして扱うシステムは、例えば、あらかじめ定められる。
【００６３】
＜ダウンロードの時間帯を決定する方法における前提の説明＞
図１に示される本実施形態に係る通信システムを例として、端末装置３１、３２に備えられた混雑度情報取得部１１１、１２１、コンテンツ閲覧情報取得部１１２、１２２、ダウンロード時間帯決定部１１３、１２３について説明する。
【００６４】
ダウンロード時間帯決定部１１３、１２３に入力されるパラメータ（入力パラメータ）について説明する。
なお、本実施形態では、入力パラメータは、システムで固定的に設定されて、例えば、あらかじめダウンロード時間帯決定部１１３、１２３のメモリに設定されて記憶されるが、他の構成例として、入力パラメータが可変な構成が用いられてもよい。
【００６５】
入力パラメータとして、閲覧時間帯の数をＮ＿ｖｉｅｗで表し、通信する「すきまタイムスロット」の数をＮ＿ｏｆｆｐｅａｋで表し、２つの重み付け係数をそれぞれａ、ｂで表し、減衰係数をｋ（ｉ）で表し、１日のタイムスロットの数（１日の分割数）をｎで表し、これらを用いる。
【００６６】
ここで、Ｎ＿ｏｆｆｐｅａｋ≧Ｎ＿ｖｉｅｗである。
また、ｉ＝０、１、２、・・・、ｎ−１である。
また、ｎは、例えば、２以上の整数である。
【００６７】
また、減衰係数ｋ（ｉ）としては、様々なものが用いられてもよく、一例として、ｋ＝１、２、・・・、Ｋとして、ｋ（ｉ）＝１／ｋなどを用いることができる。
また、減衰係数ｋ（ｉ）としては、例えば、数式を用いて設定されてもよく、または、ｋ（ｉ）＝１／ｋのような場合に、それぞれのｋの値ごとに減衰係数ｋ（ｉ）の値をあらかじめ手動で入力して、ｋの値とｋ（ｉ）の値とを対応付けて端末装置３１、３２のメモリにテーブルとして記憶させておき、端末装置３１、３２において当該テーブルの内容を読み出して使用する構成を用いることもできる。
【００６８】
ダウンロード時間帯決定部１１３、１２３からダウンロード部１１４に出力されるパラメータ（出力パラメータ）について説明する。この出力パラメータは、時間帯特定情報に相当する。
出力パラメータとして、ダウンロードを行うべきＮ＿ｏｆｆｐｅａｋ個のタイムスロットを用いる。
【００６９】
ダウンロード時間帯決定部１１３、１２３の内部変数について説明する。
内部変数として、ｉ（ｉ＝０、１、２、・・・、ｎ−１）番目のタイムスロットを用いる。
また、内部変数として、各タイムスロットにおける混雑度の指標（混雑度指標）をＣ（ｉ）で表し、これを用いる。
また、内部変数として、各タイムスロットで閲覧されるコンテンツ（本実施形態では、一例として、ビデオのコンテンツ）の数の期待値（閲覧コンテンツ数期待値）をＮ（ｉ）で表し、これを用いる。
【００７０】
ここで、混雑度情報取得部１１１は、各タイムスロットにおける混雑度指標Ｃ（ｉ）を計算し、計算した混雑度指標Ｃ（ｉ）をダウンロード時間帯決定部１１３に出力する。本実施形態では、この混雑度指標Ｃ（ｉ）は、混雑度情報に相当する。
また、コンテンツ閲覧情報取得部１１２は、各タイムスロットにおける閲覧コンテンツ数期待値Ｎ（ｉ）を計算し、計算した閲覧コンテンツ数期待値Ｎ（ｉ）をダウンロード時間帯決定部１１３に出力する。本実施形態では、この閲覧コンテンツ数期待値Ｎ（ｉ）は、コンテンツ閲覧情報に相当する。
【００７１】
本実施形態では、混雑度情報取得部１１１は、タイムスロットを分割する対象となる全体の時間（本実施形態では、１日分の時間）の中で１回、ｉ＝０、１、２、・・・、ｎ−１について、混雑度指標Ｃ（ｉ）を計算して、ダウンロード時間帯決定部１１３に通知する。
また、コンテンツ閲覧情報取得部１１２は、タイムスロットを分割する対象となる全体の時間（本実施形態では、１日分の時間）の中で１回、ｉ＝０、１、２、・・・、ｎ−１について、閲覧コンテンツ数期待値Ｎ（ｉ）を計算して、ダウンロード時間帯決定部１１３に通知する。
【００７２】
なお、本実施形態では、混雑度情報取得部１１１が混雑度指標Ｃ（ｉ）を計算してダウンロード時間帯決定部１１３に通知するタイミングと、コンテンツ閲覧情報取得部１１２が閲覧コンテンツ数期待値Ｎ（ｉ）を計算してダウンロード時間帯決定部１１３に通知するタイミングとして、同じタイミングを用いており、具体的には、ｉ＝０のときのタイミングを用いている。
本実施形態では、ｉ＝０のときのタイミングで、混雑度情報取得部１１１が過去１日分の混雑度指標Ｃ（ｉ）を計算し、コンテンツ閲覧情報取得部１１２が過去１日分の閲覧コンテンツ数期待値Ｎ（ｉ）を計算する。
【００７３】
更に詳しく説明する。
混雑度情報取得部１１１は、スループット、呼損率、干渉量などのうちの１つ以上を用いるあらかじめ定められた演算式を使用して、混雑度指標Ｃ（ｉ）を計算して決定し、決定した混雑度指標Ｃ（ｉ）をダウンロード時間帯決定部１１３に通知する。
本実施形態では、一例として、混雑度情報取得部１１１は、混雑度が低い方が混雑度指標Ｃ（ｉ）の値が大きくなるように、ｉ＝０、１、２、・・・、ｎ−１の各タイムスロットにおける混雑度指標Ｃ（ｉ）を計算して決定する。
【００７４】
ダウンロード時間帯決定部１１３は、混雑度情報取得部１１１から通知された混雑度指標Ｃ（ｉ）について、前日までの値からの指数平滑平均を取り、その指数平滑平均の結果を、その後に使用する混雑度指標Ｃ（ｉ）として、上書きする。
【００７５】
具体的には、前日までの混雑度指標Ｃ（ｉ）をＣ（ｉ）＿ｙｅｓｔｅｒｄａｙで表し、当日の混雑度指標Ｃ（ｉ）をＣ（ｉ）＿ｔｏｄａｙで表すと、指数平滑平均を取った結果である新しい混雑度指標Ｃ（ｉ）は、式（１）のように表される。
ここで、式（１）におけるαとしては、任意の値が用いられてもよく、例えば、０より大きく１より小さい値が用いられる。
【００７６】
【数１】
0005809998.tif 000002
【００７７】
コンテンツ閲覧情報取得部１１２は、各タイムスロットにおいて閲覧されたコンテンツの数を用いるあらかじめ定められた演算式を使用して、閲覧コンテンツ数期待値Ｎ（ｉ）を計算して決定し、決定した閲覧コンテンツ数期待値Ｎ（ｉ）をダウンロード時間帯決定部１１３に通知する。
本実施形態では、一例として、コンテンツ閲覧情報取得部１１２は、ｉ＝０、１、２、・・・、ｎ−１の各タイムスロットにおいて閲覧されたコンテンツの数を、閲覧コンテンツ数期待値Ｎ（ｉ）とする。
本実施形態では、一例として、閲覧されたコンテンツの数が多い方が、閲覧コンテンツ数期待値Ｎ（ｉ）が大きい値となる。
【００７８】
なお、本実施形態では、混雑度が低い方が混雑度指標Ｃ（ｉ）の値が大きくなり、閲覧されたコンテンツの数が多い方が閲覧コンテンツ数期待値Ｎ（ｉ）が大きい値となる構成を示すが、これとは逆に、混雑度が低い方が混雑度指標Ｃ（ｉ）の値が小さくなり、閲覧されたコンテンツの数が多い方が閲覧コンテンツ数期待値Ｎ（ｉ）が小さい値となる構成を用いてもよく、この場合には、例えば、混雑度指標Ｃ（ｉ）や閲覧コンテンツ数期待値Ｎ（ｉ）の大小関係の処理の仕方（例えば、大小関係の判定の仕方）を本実施形態の場合と逆にする。
【００７９】
ダウンロード時間帯決定部１１３は、コンテンツ閲覧情報取得部１１２から通知された閲覧コンテンツ数期待値Ｎ（ｉ）について、前日までの値からの指数平滑平均を取り、その指数平滑平均の結果を、その後に使用する閲覧コンテンツ数期待値Ｎ（ｉ）として、上書きする。
【００８０】
具体的には、前日までの閲覧コンテンツ数期待値Ｎ（ｉ）をＮ（ｉ）＿ｙｅｓｔｅｒｄａｙで表し、当日の閲覧コンテンツ数期待値Ｎ（ｉ）をＮ（ｉ）＿ｔｏｄａｙで表すと、指数平滑平均を取った結果である新しい閲覧コンテンツ数期待値Ｎ（ｉ）は、式（２）のように表される。
ここで、式（２）におけるβとしては、任意の値が用いられてもよく、例えば、０より大きく１より小さい値が用いられる。
【００８１】
【数２】
0005809998.tif 000003
【００８２】
なお、式（１）におけるαと式（２）におけるβとしては、例えば、同じ値が用いられてもよく、または、異なる値が用いられてもよい。
【００８３】
本実施形態に係る端末装置３１、３２では、混雑度情報取得部１１１により取得される混雑度情報およびコンテンツ閲覧情報取得部１１２により取得されるコンテンツ閲覧情報に基づいて、ネットワーク（回線）の空いているタイミングおよびコンテンツの閲覧タイミングの両者を自律的に学習し、この学習の結果に基づいて、サーバ装置１１などに対して、適切なタイミングでコンテンツを取得することを要求する。
【００８４】
ここで、本実施形態では、１日分の時間の長さ（２４時間）をｎ個のタイムスロットに等間隔に分割して、各タイムスロットの単位でタイミングを規定する。一例として、ｎ＝２４である場合には、１つのタイムスロットは１時間の長さを有する。
なお、他の構成例として、分割する対象とする時間の長さは、１日分以外に、任意の様々な長さが用いられてもよい。また、他の構成例として、分割する対象とする時間の長さを、等間隔ではない間隔で分割する構成が用いられてもよい。また、分割する対象とする時間の長さを分割する数ｎとしては、様々な値が用いられてもよい。
【００８５】
また、分割する対象とする時間の区切りを跨ぐ場合（本実施形態では、日跨ぎの場合）の扱いについて説明する。
基本的に、タイムスロットの識別子（ＩＤ）であるｉは、０、１、２、・・・、ｎ−１、０、１、２、・・・、ｎ−１、０、１、２、・・・というように、巡回する。
このため、本実施形態では、Ｃ（ｉ＋ｎ）＝Ｃ（ｉ）、Ｎ（ｉ＋ｎ）＝Ｎ（ｉ）と扱う。
例えば、Ｎ（ｉ＋ｋ）のようにｋ（ｋは整数）個先のタイムスロットを考慮する場合を考える。
具体例として、ｋ＝３で、タイムスロットのＩＤであるｉがｎ−１であるときは、Ｎ（（ｎ−１）＋３）＝Ｎ（ｎ＋２）＝Ｎ（２）となる。この場合、ｉ＝２であるときのＮ（ｉ）の値を参照すればよいことになる。
【００８６】
＜第１実施形態に係るダウンロードの時間帯を決定する方法の説明＞
図１に示される本実施形態に係る通信システムを例として、端末装置３１、３２に備えられたダウンロード時間帯決定部１１３、１２３について説明する。
本実施形態に係るダウンロード時間帯決定部１１３、１２３は、混雑度指標Ｃ（ｉ）（本実施形態では、指数平滑平均したもの）および閲覧コンテンツ数期待値Ｎ（ｉ）（本実施形態では、指数平滑平均したもの）に基づいて、ダウンロードに使用するのに適切なタイムスロットを選択するアルゴリズムの例として、式（３）を使用するアルゴリズムを用いる。
【００８７】
【数３】
0005809998.tif 000004
【００８８】
ここで、式（３）において、ａ、ｂは、それぞれ、任意の値を取ってもよい。ａ、ｂは、それぞれ、例えば、パラメータとして、あらかじめ指定されて設定され、または、ユーザにより入力されて指定される。
また、ｍａｘ｛Ｃ（ｉ），ｉ＝０、１、・・・、ｎ−１｝は、ｉ＝０、１、・・・、ｎ−１におけるＣ（ｉ）の最大値を表す。
また、ｍａｘ｛Ｎ（ｉ），ｉ＝０、１、・・・、ｎ−１｝は、ｉ＝０、１、・・・、ｎ−１におけるＮ（ｉ）の最大値を表す。
【００８９】
ダウンロード時間帯決定部１１３、１２３は、式（３）により、ｉ＝０、１、・・・、ｎ−１について、それぞれ、Ｚ（ｉ）を演算（計算）する。
そして、ダウンロード時間帯決定部１１３、１２３は、ｉ＝０、１、・・・、ｎ−１について演算したＺ（ｉ）の中で、値が大きい方から上位にあるＮ＿ｏｆｆｐｅａｋ個のタイムスロットを選択する。ダウンロード時間帯決定部１１３、１２３は、選択したＮ＿ｏｆｆｐｅａｋ個のタイムスロットのタイミングを、ダウンロードを行う時間帯として決定し、決定した時間帯を特定する情報（時間帯特定情報）をダウンロード部１１４、１２４に出力する。
【００９０】
ここで、本実施形態では、ダウンロード時間帯決定部１１３、１２３は、ｉ＝０のタイミングで、ｉ＝０、１、・・・、ｎ−１について、Ｚ（ｉ）を演算する。これにより、本実施形態では、ダウンロード時間帯決定部１１３、１２３は、分割する対象とする時間の長さ（本実施形態では、１日（２４時間））に１回、Ｚ（ｉ）を演算する。
また、式（３）では、混雑度指標Ｃ（ｉ）に関する項（右辺の第１項）に対して、閲覧コンテンツ数期待値Ｎ（ｉ＋１）に関する項（右辺の第２項）を加えており、このようにＮ（ｉ）ではなくＮ（ｉ＋１）を使用する理由は、コンテンツが閲覧されるタイムスロットの直前に当該コンテンツをダウンロードすべきであるためである。
【００９１】
また、式（３）において、混雑度指標Ｃ（ｉ）に関する項（右辺の第１項）で、ｍａｘ｛Ｃ（ｉ），ｉ＝０、１、・・・、ｎ−１｝で除算している理由、および、閲覧コンテンツ数期待値Ｎ（ｉ＋１）に関する項（右辺の第２項）で、ｍａｘ｛Ｎ（ｉ），ｉ＝０、１、・・・、ｎ−１｝で除算している理由は、混雑度指標Ｃ（ｉ）および閲覧コンテンツ数期待値Ｎ（ｉ＋１）をそれぞれ０〜１で正規化するためである。
【００９２】
以上のように、本実施形態に係る通信システムでは、ネットワークの混雑度およびコンテンツの閲覧のパターンを考慮した時間帯にコンテンツのダウンロードを行う。
一例として、本実施形態に係る通信システムでは、各ユーザの端末装置３１、３２で動作するソフトウェアにおいて、１日のうちのいずれの時間帯にネットワークの空いている場所にいるか、および、当該ユーザが１日のうちのいずれの時間帯にコンテンツを閲覧するか、を自律的に学習し、この学習結果に応じてダウンロードの時間帯を決定して、コンテンツを取得する。
【００９３】
具体例として、本実施形態に係る通信システムでは、ユーザの端末装置３１、３２が、自律的に、混雑度およびコンテンツの閲覧時刻に関する情報を収集し、収集した混雑度およびコンテンツの閲覧時刻に関する情報に基づいて、１日のうちで混雑度が小さい時間帯およびコンテンツが閲覧される可能性が高い時間帯を学習（推定）し、当該学習（当該推定）の結果に基づく時間帯にコンテンツのダウンロードを行う。各ユーザの端末装置３１、３２は、混雑度に関連する指標（本実施形態では、混雑度情報）を取得する混雑度情報取得部１１１と、コンテンツの閲覧時刻に関連する情報（本実施形態では、コンテンツ閲覧情報）を取得するコンテンツ閲覧情報取得部１１２と、混雑していない時間帯およびコンテンツが閲覧される可能性が高い時間帯を自律的に学習してダウンロードの時間帯を決定するダウンロード時間帯決定部１１３と、このような学習の結果に基づいて決定された時間帯にコンテンツをダウンロードするダウンロード部１１４と、を備える。
【００９４】
以上のように、本実施形態に係る通信システムによると、混雑度情報とコンテンツ閲覧情報に基づいて、端末装置３１、３２へのコンテンツの提供を行う時間（ダウンロードを行う時間）を決定することを効果的に行うことができる。
本実施形態に係る通信システムによると、例えば、混雑していない時間帯を有効利用することで、ネットワークインフラの効率利用が可能となり、これにより、ネットワークインフラへの過負荷を回避しつつ、効率的に、１日のうちに複数回、コンテンツを更新することが可能となる。
また、本実施形態に係る通信システムによると、先行的なダウンロードを行う場合には、例えば、日常的にコンテンツを消費する時間帯の直前にコンテンツをダウンロードすることができるため、これにより、ユーザは最新のコンテンツを取得することが可能となる。
【００９５】
一構成例として、本実施形態に係る通信システムは、端末装置３１、３２へのコンテンツのダウンロードを行うために使用される通信回線の混雑度に関する情報を取得する混雑度情報取得部１１１と、コンテンツの閲覧に関する情報を取得するコンテンツ閲覧情報取得部１１２と、混雑度情報取得部１１１により取得される混雑度に関する情報とコンテンツ閲覧情報取得部１１２により取得されるコンテンツの閲覧に関する情報に基づいて、端末装置３１、３２へのコンテンツのダウンロードを行う時間帯を決定するダウンロード時間帯決定部１１３と、ダウンロード時間帯決定部１１３により決定される時間帯で端末装置３１、３２へのコンテンツのダウンロードを行うダウンロード部１１４と、を備える。
【００９６】
具体的な一構成例として、本実施形態に係る通信システムでは、ダウンロード時間帯決定部１１３、１２３は、あらかじめ定められた長さの時間（本実施形態では、１日（２４時間））を複数（ｎ）に分割して構成される複数のタイムスロットの時間帯のそれぞれについて、混雑度情報取得部１１１により取得される混雑度に関する情報に基づく値（本実施形態では、式（３）の右辺の第１項）とコンテンツ閲覧情報取得部１１２により取得されるコンテンツの閲覧に関する情報に基づく値（本実施形態では、式（３）の右辺の第２項）とを用いて演算を行った結果（本実施形態では、式（３）で表されるＺ（ｉ））を求め、当該演算を行った結果の値の大きさに基づいて、端末装置３１、３２へのコンテンツのダウンロードを行うタイムスロットの時間帯を決定する。
【００９７】
ここで、混雑度に関する情報に基づく値としては、様々な値が用いられてもよい。具体的には、混雑度に関する情報に基づく値としては、例えば、通信速度、遅延時間、干渉量、同時接続端末数、呼損率、などのうちのいずれかの値や、または、これらの値のうちの一部もしくはこれらの値の全てを組み合わせて算出される値を用いることができる。
また、コンテンツの閲覧に関する情報に基づく値としては、様々な値が用いられてもよい。具体的には、コンテンツの閲覧に関する情報に基づく値としては、例えば、閲覧されたコンテンツの数、コンテンツの閲覧時間、閲覧されたコンテンツのデータ量、などのうちのいずれかの値、または、これらの値のうちの一部もしくはこれらの値の全てを組み合わせて算出される値を用いることができる。
また、演算としては、例えば、加算、減算、乗算、除算などのうちの１つ以上を用いることができる。
【００９８】
［第２実施形態］
本実施形態に係る通信システムの概略は、第１実施形態における＜本実施形態に係る通信システムの概略の説明＞で説明したのと同様である。このため、本実施形態では、図１に示されるものと同じ符号を用いて説明する。
また、本実施形態では、第１実施形態における＜通信システムの他の構成例の説明＞や＜通信システムにおける無線通信の説明＞で説明した事項も適用され得る。
【００９９】
本実施形態に係る通信システムは、第１実施形態に係る通信システムと比べて、ダウンロード時間帯決定部１１３によりダウンロードの時間帯を決定する方法が異なる。
以下では、主に、本実施形態に係る通信システムについて、第１実施形態に係る通信システムとは異なる点について説明する。
なお、本実施形態における＜ダウンロードの時間帯を決定する方法における前提の説明＞については、第１実施形態における＜ダウンロードの時間帯を決定する方法における前提の説明＞で説明したものと同様である。
【０１００】
＜第２実施形態に係るダウンロードの時間帯を決定する方法の説明＞
図１に示される本実施形態に係る通信システムを例として、端末装置３１、３２に備えられたダウンロード時間帯決定部１１３、１２３について説明する。
本実施形態に係るダウンロード時間帯決定部１１３、１２３は、混雑度指標Ｃ（ｉ）（本実施形態では、指数平滑平均したもの）および閲覧コンテンツ数期待値Ｎ（ｉ）（本実施形態では、指数平滑平均したもの）に基づいて、ダウンロードに使用するのに適切なタイムスロットを選択するアルゴリズムの例として、式（４）を使用するアルゴリズムを用いる。
【０１０１】
【数４】
0005809998.tif 000005
【０１０２】
ここで、式（４）において、ａ、ｂは、それぞれ、任意の値を取ってもよい。ａ、ｂは、それぞれ、例えば、パラメータとして、あらかじめ指定されて設定され、または、ユーザにより入力されて指定される。
また、ｍａｘ｛Ｃ（ｉ），ｉ＝０、１、・・・、ｎ−１｝は、ｉ＝０、１、・・・、ｎ−１におけるＣ（ｉ）の最大値を表す。
また、ｍａｘ｛Ｎ（ｉ），ｉ＝０、１、・・・、ｎ−１｝は、ｉ＝０、１、・・・、ｎ−１におけるＮ（ｉ）の最大値を表す。
【０１０３】
また、式（４）において、ｋ、Ｋは、それぞれ、パラメータである。
Ｋは、任意の値を取ってもよく、例えば、２以上の整数である。Ｋは、例えば、パラメータとして、あらかじめ指定されて設定され、または、ユーザにより入力されて指定される。
【０１０４】
式（４）における右辺の第２項に関して、本実施形態では、Ｎ（ｉ＋ｋ）に対して、時間傾斜の重み付けとなる減衰係数ｋ（ｉ）＝１／ｋの重み付けを与えて、その結果をｋ＝１、２、・・・、Ｋで総和している。
具体的には、閲覧コンテンツ数期待値Ｎ（ｉ）について、１個先のタイムスロットの影響が１／ｋ＝１であるとき、２個先のタイムスロットの影響が１／ｋ＝１／２となり、３個先のタイムスロットの影響が１／ｋ＝１／３となり、以降も同様となる。
ここで、Ｋは、何個先までのタイムスロットの影響を考慮するかを示す。
【０１０５】
ダウンロード時間帯決定部１１３、１２３は、式（４）により、ｉ＝０、１、・・・、ｎ−１について、それぞれ、Ｚ（ｉ）を演算（計算）する。
そして、ダウンロード時間帯決定部１１３、１２３は、ｉ＝０、１、・・・、ｎ−１について演算したＺ（ｉ）の中で、値が大きい方から上位にあるＮ＿ｏｆｆｐｅａｋ個のタイムスロットを選択する。ダウンロード時間帯決定部１１３、１２３は、選択したＮ＿ｏｆｆｐｅａｋ個のタイムスロットのタイミングを、ダウンロードを行う時間帯として決定し、決定した時間帯を特定する情報（時間帯特定情報）をダウンロード部１１４、１２４に出力する。
【０１０６】
ここで、本実施形態では、ダウンロード時間帯決定部１１３、１２３は、ｉ＝０のタイミングで、ｉ＝０、１、・・・、ｎ−１について、Ｚ（ｉ）を演算する。これにより、本実施形態では、ダウンロード時間帯決定部１１３、１２３は、分割する対象とする時間の長さ（本実施形態では、１日（２４時間））に１回、Ｚ（ｉ）を演算する。
また、式（４）では、混雑度指標Ｃ（ｉ）に関する項（右辺の第１項）に対して、ｋ＝１、２、・・・、Ｋについて閲覧コンテンツ数期待値Ｎ（ｉ＋ｋ）に関する項（右辺の第２項）を加えており、このようにＮ（ｉ）ではなくＮ（ｉ＋ｋ）を使用する理由は、コンテンツが閲覧されるタイムスロットより前に当該コンテンツをダウンロードすべきであるためである。
【０１０７】
また、式（４）において、混雑度指標Ｃ（ｉ）に関する項（右辺の第１項）で、ｍａｘ｛Ｃ（ｉ），ｉ＝０、１、・・・、ｎ−１｝で除算している理由、および、閲覧コンテンツ数期待値Ｎ（ｉ＋ｋ）に関する項（右辺の第２項）で、ｍａｘ｛Ｎ（ｉ），ｉ＝０、１、・・・、ｎ−１｝で除算している理由は、混雑度指標Ｃ（ｉ）および閲覧コンテンツ数期待値Ｎ（ｉ＋ｋ）をそれぞれ０〜１などで正規化するためである。
【０１０８】
以上のように、本実施形態に係る通信システムでは、ネットワークの混雑度およびコンテンツの閲覧のパターンを考慮した時間帯にコンテンツのダウンロードを行う。
一例として、本実施形態に係る通信システムでは、各ユーザの端末装置３１、３２で動作するソフトウェアにおいて、１日のうちのいずれの時間帯にネットワークの空いている場所にいるか、および、当該ユーザが１日のうちのいずれの時間帯にコンテンツを閲覧するか、を自律的に学習し、この学習結果に応じてダウンロードの時間帯を決定して、コンテンツを取得する。
【０１０９】
具体例として、本実施形態に係る通信システムでは、ユーザの端末装置３１、３２が、自律的に、混雑度およびコンテンツの閲覧時刻に関する情報を収集し、収集した混雑度およびコンテンツの閲覧時刻に関する情報に基づいて、１日のうちで混雑度が小さい時間帯およびコンテンツが閲覧される可能性が高い時間帯を学習（推定）し、当該学習（当該推定）の結果に基づく時間帯にコンテンツのダウンロードを行う。各ユーザの端末装置３１、３２は、混雑度に関連する指標（本実施形態では、混雑度情報）を取得する混雑度情報取得部１１１と、コンテンツの閲覧時刻に関連する情報（本実施形態では、コンテンツ閲覧情報）を取得するコンテンツ閲覧情報取得部１１２と、混雑していない時間帯およびコンテンツが閲覧される可能性が高い時間帯を自律的に学習してダウンロードの時間帯を決定するダウンロード時間帯決定部１１３と、このような学習の結果に基づいて決定された時間帯にコンテンツをダウンロードするダウンロード部１１４と、を備える。
【０１１０】
以上のように、本実施形態に係る通信システムによると、混雑度情報とコンテンツ閲覧情報に基づいて、端末装置３１、３２へのコンテンツの提供を行う時間（ダウンロードを行う時間）を決定することを効果的に行うことができる。
本実施形態に係る通信システムによると、例えば、混雑していない時間帯を有効利用することで、ネットワークインフラの効率利用が可能となり、これにより、ネットワークインフラへの過負荷を回避しつつ、効率的に、１日のうちに複数回、コンテンツを更新することが可能となる。
また、本実施形態に係る通信システムによると、先行的なダウンロードを行う場合には、例えば、日常的にコンテンツを消費する時間帯の直前にコンテンツをダウンロードすることができるため、これにより、ユーザは最新のコンテンツを取得することが可能となる。
【０１１１】
一構成例として、本実施形態に係る通信システムは、端末装置３１、３２へのコンテンツのダウンロードを行うために使用される通信回線の混雑度に関する情報を取得する混雑度情報取得部１１１と、コンテンツの閲覧に関する情報を取得するコンテンツ閲覧情報取得部１１２と、混雑度情報取得部１１１により取得される混雑度に関する情報とコンテンツ閲覧情報取得部１１２により取得されるコンテンツの閲覧に関する情報に基づいて、端末装置３１、３２へのコンテンツのダウンロードを行う時間帯を決定するダウンロード時間帯決定部１１３と、ダウンロード時間帯決定部１１３により決定される時間帯で端末装置３１、３２へのコンテンツのダウンロードを行うダウンロード部１１４と、を備える。
【０１１２】
具体的な一構成例として、本実施形態に係る通信システムでは、ダウンロード時間帯決定部１１３、１２３は、あらかじめ定められた長さの時間（本実施形態では、１日（２４時間））を複数（ｎ）に分割して構成される複数のタイムスロットの時間帯のそれぞれについて、混雑度情報取得部１１１により取得される混雑度に関する情報に基づく値（本実施形態では、式（４）の右辺の第１項）とコンテンツ閲覧情報取得部１１２により取得されるコンテンツの閲覧に関する情報に基づく値（本実施形態では、式（４）の右辺の第２項）とを用いて演算を行った結果（本実施形態では、式（４）で表されるＺ（ｉ））を求め、当該演算を行った結果の値の大きさに基づいて、端末装置３１、３２へのコンテンツのダウンロードを行うタイムスロットの時間帯を決定する。この場合に、前記コンテンツ閲覧情報取得部により取得される前記コンテンツの閲覧に関する情報として、閲覧されたコンテンツの数を用いて計算される値の情報を用い、前記コンテンツ閲覧情報取得部により取得される前記コンテンツの閲覧に関する情報に基づく値として、時間経過に応じて所定の比率で小さくなる減衰係数（本実施形態では、ｋ（ｉ）＝１／ｋ）を前記コンテンツの閲覧に関する情報の値に対して乗算した結果に基づく値を用いる。
【０１１３】
［第３実施形態］
本実施形態に係る通信システムの概略は、第１実施形態における＜本実施形態に係る通信システムの概略の説明＞で説明したのと同様である。このため、本実施形態では、図１に示されるものと同じ符号を用いて説明する。
また、本実施形態では、第１実施形態における＜通信システムの他の構成例の説明＞や＜通信システムにおける無線通信の説明＞で説明した事項も適用され得る。
【０１１４】
本実施形態に係る通信システムは、第１実施形態に係る通信システムと比べて、ダウンロード時間帯決定部１１３によりダウンロードの時間帯を決定する方法が異なる。
以下では、主に、本実施形態に係る通信システムについて、第１実施形態に係る通信システムとは異なる点について説明する。
なお、本実施形態における＜ダウンロードの時間帯を決定する方法における前提の説明＞については、第１実施形態における＜ダウンロードの時間帯を決定する方法における前提の説明＞で説明したものと同様である。
【０１１５】
＜第３実施形態に係るダウンロードの時間帯を決定する方法の説明＞
図１に示される本実施形態に係る通信システムを例として、端末装置３１、３２に備えられたダウンロード時間帯決定部１１３、１２３について説明する。
本実施形態に係るダウンロード時間帯決定部１１３、１２３は、混雑度指標Ｃ（ｉ）（本実施形態では、指数平滑平均したもの）および閲覧コンテンツ数期待値Ｎ（ｉ）（本実施形態では、指数平滑平均したもの）に基づいて、ダウンロードに使用するのに適切なタイムスロットを選択するアルゴリズムの例として、式（５）、式（６）、式（７）を使用するアルゴリズムを用いる。
【０１１６】
【数５】
0005809998.tif 000006
【０１１７】
【数６】
0005809998.tif 000007
【０１１８】
【数７】
0005809998.tif 000008
【０１１９】
本実施形態に係るアルゴリズム（手順１）〜（手順４）についてより詳しく説明する。
（手順１）
まず、ダウンロード時間帯決定部１１３、１２３は、閲覧コンテンツ数期待値Ｎ（ｉ）（本実施形態では、指数平滑平均したもの）について、値が大きい方から上位にあるＮ＿ｖｉｅｗ個のタイムスロットを、参照するタイムスロット（参照タイムスロット）として、選択する。
【０１２０】
（手順２）
次に、ダウンロード時間帯決定部１１３、１２３は、選択したＮ＿ｖｉｅｗ個の参照タイムスロット以外のタイムスロット（選択した参照タイムスロットのｉに該当しないｉ）について、式（５）〜式（７）により、Ｚ（ｉ）の値を演算（計算）する。
なお、ダウンロード時間帯決定部１１３、１２３は、この（手順２）において、すべてのｉについて、Ｚ（ｉ）の値を演算してもよい。
【０１２１】
（手順３）
次に、ダウンロード時間帯決定部１１３、１２３は、選択したＮ＿ｖｉｅｗ個の参照タイムスロットについて、それぞれの隣り合う参照タイムスロットの間において、Ｚ（ｉ）の値が最大となる１つのタイムスロットを、ダウンロードを行うタイムスロット（ダウンロード用タイムスロット）として、選択し、これにより、計Ｎ＿ｖｉｅｗ個のダウンロード用タイムスロットを選択する。
【０１２２】
（手順４）
次に、ダウンロード時間帯決定部１１３、１２３は、ダウンロードを行うべき残りのタイムスロットである（Ｎ＿ｏｆｆｐｅａｋ−Ｎ＿ｖｉｅｗ）個のタイムスロット（ダウンロード用タイムスロット）を、すべての時間帯（本実施形態では、１日）を通じて、Ｚ（ｉ）が大きい順に選択する。但し、既に選択されている計Ｎ＿ｖｉｅｗ個のダウンロード用タイムスロットについては、二重には選択されない。
なお、（手順４）において、ダウンロード時間帯決定部１１３、１２３により（手順１）で選択したＮ＿ｖｉｅｗ個の参照タイムスロットについてＺ（ｉ）が求められていない場合には、ダウンロード時間帯決定部１１３、１２３は、そのＺ（ｉ）を演算して処理に使用する。
【０１２３】
ダウンロード時間帯決定部１１３、１２３は、選択した計Ｎ＿ｏｆｆｐｅａｋ個のタイムスロットのタイミングを、ダウンロードを行う時間帯として決定し、決定した時間帯を特定する情報（時間帯特定情報）をダウンロード部１１４、１２４に出力する。
【０１２４】
ここで、式（５）において、ｋ、Ｋは、それぞれ、パラメータである。
Ｋは、任意の値を取ってもよく、例えば、２以上の整数である。Ｋは、例えば、パラメータとして、あらかじめ指定されて設定され、または、ユーザにより入力されて指定される。
【０１２５】
式（５）における右辺に関して、本実施形態では、Ｎ（ｉ＋ｋ）に対して、時間傾斜の重み付けとなる減衰係数ｋ（ｉ）＝１／ｋの重み付けを与えて、その結果をｋ＝１、２、・・・、Ｋで総和している。
具体的には、閲覧コンテンツ数期待値Ｎ（ｉ）について、１個先のタイムスロットの影響が１／ｋ＝１であるとき、２個先のタイムスロットの影響が１／ｋ＝１／２となり、３個先のタイムスロットの影響が１／ｋ＝１／３となり、以降も同様となる。
ここで、Ｋは、何個先までのタイムスロットの影響を考慮するかを示す。
【０１２６】
また、式（６）におけるｍａｘ｛Ｎ’（ｉ），ｉ＝０、１、・・・、ｎ−１｝は、ｉ＝０、１、・・・、ｎ−１におけるＮ’（ｉ）の最大値を表す。
また、式（７）において、ａ、ｂは、それぞれ、任意の値を取ってもよい。ａ、ｂは、それぞれ、例えば、パラメータとして、あらかじめ指定されて設定され、または、ユーザにより入力されて指定される。
【０１２７】
ここで、本実施形態では、ダウンロード時間帯決定部１１３、１２３は、ｉ＝０のタイミングで、ｉ＝０、１、・・・、ｎ−１について、Ｚ（ｉ）を演算する。これにより、本実施形態では、ダウンロード時間帯決定部１１３、１２３は、分割する対象とする時間の長さ（本実施形態では、１日（２４時間））に１回、Ｚ（ｉ）を演算する。
また、式（７）では、混雑度指標Ｃ（ｉ）に関する項（右辺の第１項）に対して、ｋ＝１、２、・・・、Ｋについて閲覧コンテンツ数期待値Ｎ（ｉ＋ｋ）に関する項（右辺の第２項）を加えており、このようにＮ（ｉ）ではなくＮ（ｉ＋ｋ）を使用する理由は、コンテンツが閲覧されるタイムスロットより前に当該コンテンツをダウンロードすべきであるためである。
【０１２８】
また、式（６）において、閲覧コンテンツ数期待値Ｎ（ｉ＋ｋ）に関する項（右辺の項）で、ｍａｘ｛Ｎ’（ｉ），ｉ＝０、１、・・・、ｎ−１｝で除算している理由は、閲覧コンテンツ数期待値に関する値Ｎ’（ｉ）を０〜１で正規化するためである。
【０１２９】
図２（Ａ）、（Ｂ）、（Ｃ）を参照して、ダウンロード時間帯決定部１１３、１２３により行われる（手順１）〜（手順４）の処理の具体例を説明する。
図２（Ａ）、（Ｂ）、（Ｃ）は、本発明の一実施形態に係る通信スケジュールの一例を示す図である。
図２（Ａ）、（Ｂ）、（Ｃ）の例では、Ｎ＿ｖｉｅｗ＝３、Ｎ＿ｏｆｆｓｅｔ＝５である場合を示す。
【０１３０】
（手順１）において、ダウンロード時間帯決定部１１３、１２３は、閲覧コンテンツ数期待値Ｎ（ｉ）（本実施形態では、指数平滑平均したもの）について、値が大きい方から上位にあるＮ＿ｖｉｅｗ（＝３）個のタイムスロットを、参照するタイムスロット（参照タイムスロット）として、選択する。
図２（Ａ）の例では、ダウンロード時間帯決定部１１３、１２３は、時間が早い方から順に、タイムスロットｓ１、タイムスロットｓ２、タイムスロットｓ３を、参照タイムスロットとして、選択する。
【０１３１】
（手順２）において、ダウンロード時間帯決定部１１３、１２３は、選択したＮ＿ｖｉｅｗ（＝３）個の参照タイムスロット以外のタイムスロット（選択した参照タイムスロットのｉに該当しないｉ）について、式（５）〜式（７）により、Ｚ（ｉ）の値を演算（計算）する。
なお、この例では、ダウンロード時間帯決定部１１３、１２３は、この（手順２）において、すべてのｉについて、Ｚ（ｉ）の値を演算する。
【０１３２】
（手順３）において、ダウンロード時間帯決定部１１３、１２３は、選択したＮ＿ｖｉｅｗ（＝３）個の参照タイムスロットについて、それぞれの隣り合う参照タイムスロットの間において、Ｚ（ｉ）の値が最大となる１つのタイムスロットを、ダウンロードを行うタイムスロット（ダウンロード用タイムスロット）として、選択し、これにより、計Ｎ＿ｖｉｅｗ（＝３）個のダウンロード用タイムスロットを選択する。
図２（Ｂ）の例では、ダウンロード時間帯決定部１１３、１２３は、参照タイムスロットｓ１と参照タイムスロットｓ２との間でＺ（ｉ）が最大となるタイムスロットｓ１２をダウンロード用タイムスロットとして選択し、参照タイムスロットｓ２と参照タイムスロットｓ３との間でＺ（ｉ）が最大となるタイムスロットｓ１３をダウンロード用タイムスロットとして選択し、参照タイムスロットｓ３と参照タイムスロットｓ１との間でＺ（ｉ）が最大となるタイムスロットｓ１１をダウンロード用タイムスロットとして選択する。
【０１３３】
（手順４）において、ダウンロード時間帯決定部１１３、１２３は、ダウンロードを行うべき残りのタイムスロットである（Ｎ＿ｏｆｆｐｅａｋ−Ｎ＿ｖｉｅｗ＝２）個のタイムスロット（ダウンロード用タイムスロット）を、すべての時間帯（本実施形態では、１日）を通じて、Ｚ（ｉ）が大きい順に選択する。
図２（Ｃ）の例では、ダウンロード時間帯決定部１１３、１２３は、時間が早い方から順に、タイムスロットｓ２１と、タイムスロットｓ２２を、ダウンロード用タイムスロットとして、選択する。
以上により、ダウンロード時間帯決定部１１３、１２３は、計５個のダウンロード用タイムスロットｓ１１、ｓ１２、ｓ１３、ｓ２１、ｓ２２を選択する。
【０１３４】
以上のように、本実施形態に係る通信システムでは、ネットワークの混雑度およびコンテンツの閲覧のパターンを考慮した時間帯にコンテンツのダウンロードを行う。
一例として、本実施形態に係る通信システムでは、各ユーザの端末装置３１、３２で動作するソフトウェアにおいて、１日のうちのいずれの時間帯にネットワークの空いている場所にいるか、および、当該ユーザが１日のうちのいずれの時間帯にコンテンツを閲覧するか、を自律的に学習し、この学習結果に応じてダウンロードの時間帯を決定して、コンテンツを取得する。
【０１３５】
具体例として、本実施形態に係る通信システムでは、ユーザの端末装置３１、３２が、自律的に、混雑度およびコンテンツの閲覧時刻に関する情報を収集し、収集した混雑度およびコンテンツの閲覧時刻に関する情報に基づいて、１日のうちで混雑度が小さい時間帯およびコンテンツが閲覧される可能性が高い時間帯を学習（推定）し、当該学習（当該推定）の結果に基づく時間帯にコンテンツのダウンロードを行う。各ユーザの端末装置３１、３２は、混雑度に関連する指標（本実施形態では、混雑度情報）を取得する混雑度情報取得部１１１と、コンテンツの閲覧時刻に関連する情報（本実施形態では、コンテンツ閲覧情報）を取得するコンテンツ閲覧情報取得部１１２と、混雑していない時間帯およびコンテンツが閲覧される可能性が高い時間帯を自律的に学習してダウンロードの時間帯を決定するダウンロード時間帯決定部１１３と、このような学習の結果に基づいて決定された時間帯にコンテンツをダウンロードするダウンロード部１１４と、を備える。
【０１３６】
以上のように、本実施形態に係る通信システムによると、混雑度情報とコンテンツ閲覧情報に基づいて、端末装置３１、３２へのコンテンツの提供を行う時間（ダウンロードを行う時間）を決定することを効果的に行うことができる。
本実施形態に係る通信システムによると、例えば、混雑していない時間帯を有効利用することで、ネットワークインフラの効率利用が可能となり、これにより、ネットワークインフラへの過負荷を回避しつつ、効率的に、１日のうちに複数回、コンテンツを更新することが可能となる。
また、本実施形態に係る通信システムによると、先行的なダウンロードを行う場合には、例えば、日常的にコンテンツを消費する時間帯の直前にコンテンツをダウンロードすることができるため、これにより、ユーザは最新のコンテンツを取得することが可能となる。
【０１３７】
一構成例として、本実施形態に係る通信システムは、端末装置３１、３２へのコンテンツのダウンロードを行うために使用される通信回線の混雑度に関する情報を取得する混雑度情報取得部１１１と、コンテンツの閲覧に関する情報を取得するコンテンツ閲覧情報取得部１１２と、混雑度情報取得部１１１により取得される混雑度に関する情報とコンテンツ閲覧情報取得部１１２により取得されるコンテンツの閲覧に関する情報に基づいて、端末装置３１、３２へのコンテンツのダウンロードを行う時間帯を決定するダウンロード時間帯決定部１１３と、ダウンロード時間帯決定部１１３により決定される時間帯で端末装置３１、３２へのコンテンツのダウンロードを行うダウンロード部１１４と、を備える。
【０１３８】
具体的な一構成例として、本実施形態に係る通信システムでは、ダウンロード時間帯決定部１１３、１２３は、あらかじめ定められた長さの時間（本実施形態では、１日（２４時間））を複数（ｎ）に分割して構成される複数のタイムスロットの時間帯のそれぞれについて、コンテンツ閲覧情報取得部１１２、１２２により取得されるコンテンツの閲覧に関する情報に基づく値（本実施形態では、Ｎ（ｉ））を求め、当該値の大きさに基づいて２つ以上のタイムスロットの時間帯（本実施形態では、図２（Ａ）に示されるＮ＿ｖｉｅｗ個のタイムスロットｓ１、ｓ２、ｓ３の時間帯）を参照タイムスロットの時間帯として選択し、混雑度情報取得部１１１、１２１により取得される混雑度に関する情報に基づく値（本実施形態では、式（７）の右辺の第１項）とコンテンツ閲覧情報取得部１１２、１２２により取得されるコンテンツの閲覧に関する情報に基づく値（本実施形態では、式（７）の右辺の第２項）とを用いて演算を行った結果（本実施形態では、式（７）で表されるＺ（ｉ））の値の大きさに基づいて、前記選択した２つ以上の参照タイムスロットの時間帯についてそれぞれの隣り合う参照タイムスロットの時間帯の間から１つのタイムスロットの時間帯（本実施形態では、図２（Ｂ）に示される計３つのタイムスロットｓ１１、ｓ１２、ｓ１３の時間帯）を選択して、端末装置３１、３２へのコンテンツのダウンロードを行うタイムスロットの時間帯として決定し、さらに、必要である場合（本実施形態では、Ｎ＿ｏｆｆｐｅａｋ個のタイムスロットの時間帯が未だに選択されていない場合）には、前記演算を行った結果の値の大きさに基づいて、タイムスロットの時間帯（本実施形態では、図２（Ｃ）に示される計２つのタイムスロットｓ２１、ｓ２２の時間帯）を選択して、端末装置３１、３２へのコンテンツのダウンロードを行うタイムスロットの時間帯として決定する。
なお、本実施形態では、この場合に、コンテンツ閲覧情報取得部１１２により取得されるコンテンツの閲覧に関する情報に基づく値（本実施形態では、式（７）の右辺の第２項）は、あらかじめ定められた減衰係数（本実施形態では、ｋ（ｉ）＝１／ｋ）を用いて求められる。
【０１３９】
［以上の実施形態のまとめ］
ここで、端末装置３１、３２としては、様々なものが用いられてもよく、例えば、スマートフォンを含む携帯電話、パーソナルコンピュータ（ＰＣ）、ホームゲートウェイ、専用端末などの端末装置を用いることができる。
【０１４０】
以上、本発明の実施形態について図面を参照して詳述したが、具体的な構成はこの実施形態に限られるものではなく、本発明の要旨を逸脱しない範囲の設計変更等も含まれる。
【０１４１】
また、以上に示した各実施形態に係る各装置の機能（例えば、サーバ装置１１、各端末装置３１、３２などのうちの１つ以上の装置の機能）を実現するためのプログラムをコンピュータ読み取り可能な記録媒体に記録して、この記録媒体に記録されたプログラムをコンピュータシステムに読み込ませ、実行することにより、処理を行ってもよい。
【０１４２】
なお、ここで言う「コンピュータシステム」とは、オペレーティング・システム（Ｏｐｅｒａｔｉｎｇ  Ｓｙｓｔｅｍ；ＯＳ）や周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｋ）等の可搬媒体、コンピュータシステムに内蔵されるハードディスク等の記憶装置のことを言う。
【０１４３】
さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことを言う。
また、上記のプログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【０１４４】
１１…サーバ装置、１２…コンテンツ記憶装置、１３…基地局装置、１４…回線、２１…通信エリア、３１…端末装置（無線端末装置）、３２…端末装置（有線の端末装置）、１０１…レコメンド部、１１１、１２１…混雑度情報取得部、１１２、１２２…コンテンツ閲覧情報取得部、１１３、１２３…ダウンロード時間帯決定部、１１４、１２４…ダウンロード部、１００１…セル（大セル）、１０１１−１〜１０１１−５…セル（小セル）、１１０１、１１０２…端末装置、ｓ１〜ｓ３、ｓ１１〜ｓ１３、ｓ２１、ｓ２２…タイムスロット
【図１】
0005809998.tif 000009
【図２】
0005809998.tif 000010
【図３】
0005809998.tif 000011